(57)【要約】      （修正有）【課題】表示輝度切り替えによって階調−色度変動が変化する特性をもつ有機ＥＬを、ＬＣＤより優れた応答特性、温度依存性をカメラで活用するため、カメラ使用時の各表示仕様に対応した輝度設定に応じて色度補正する装置を提供する。【解決手段】電子式ファインダー（ＥＶＦ）表示部７の有機ＥＬ制御部にはホワイトバランス（ＷＢ）機能が備えられており、マイコンＰＲＳ１４０から設定値に従ったＷＢ動作を行い、マイコンＰＲＳ１４０は不揮発性メモリを有し、ＥＶＦ表示部の輝度に応じたＷＢ設定値を記憶しており、ＥＶＦ表示部の輝度は測光センサー８の出力と、予め用意された使用環境輝度とＥＶＦ輝度設定の関係図に従い、最適な輝度設定値を求めさらにその輝度に対応したＷＢ設定値を不揮発性メモリから読みだしてＥＶＦ表示部へ送信し、ＥＶＦは設定された輝度に対応したＷＢ設定値で色度補正された色合いで表示される。【選択図】図１
2018189808.tif 000002
【特許請求の範囲】
【請求項１】
カメラの光学式ファインダーと同様に、カメラファインダー窓に使用者の目を近接することで撮影領域を確認することができる、電子的に表示可能なファインダー表示装置であって、
撮影領域の明るさを検知する明るさ検知手段（８）と
使用者が、ファインダー部に接眼しているか否かを検知する接眼検知手段（１０）と
ファインダー表示部に表示する表示データを一時的に記憶する一時記憶手段（１４２）と
撮影領域の明るさを検出する明るさ検知手段（８）から得られる出力に応じて、ファインダー表示部の明るさを切り替えることができる輝度選択手段と
輝度選択手段により選択されたファインダー表示部の明るさに応じて表示部に表示する表示データのホワイトバランスを行うホワイトバランス手段（７２０）と
があって、
表示データを一時的に記憶する一時記憶手段（１４２）は、撮影画像データと撮影情報データを個別に記憶し、ファインダー表示部への表示部の際には、撮影画像データと撮影情報データを選択的に切り替えて、ホワイトバランス手段（７２０）に出力する。
ホワイトバランス手段（７２０）は入力されるデータが撮影画像データと撮影情報データである時とで、ホワイトバランス設定値を撮影画像データと撮影情報データそれぞれを表示部に設定された明るさに応じたホワイトバランス設定値を選択し、選択したホワイトバランス設定値により、ホワイトバランスを行った表示データを表示部に表示する
ことを特徴とするカメラのファインダー表示装置。
【請求項２】
請求項１に記載の表示装置の表示部は有機ＥＬであることを特徴とする表示装置。
【請求項３】
カメラの光学式ファインダーと同様に撮影領域を確認することでき、電子的に表示可能な表示装置であって、
撮影領域の明るさを検出する明るさ検知手段（８）と
使用者が、ファインダー部に接眼しているか否かを検知する接眼検知手段（１０）と
表示データを一時的に記憶する一時記憶手段（１４２）
表示部の明るさを、撮影領域の明るさを検出する明るさ検知手段（８）から得られる出力に応じて切り替えることができる輝度選択手段と
輝度選択手段により選択された表示部の明るさに応じて表示部に表示する表示データのホワイトバランスを行うホワイトバランス手段（７２０）と
があって、
ホワイトバランス手段（７２０）は入力されるデータが撮影画像データと撮影情報データである時とで、ホワイトバランス設定値を撮影画像データと撮影情報データそれぞれを表示部に設定された明るさに応じたホワイトバランス設定値を選択し、選択したホワイトバランス設定値により、ホワイトバランスを行った表示データを表示部に表示する
ことを特徴とするカメラに着脱可能なカメラのファインダー表示装置。
【請求項４】
請求項３に記載の表示装置の表示部は不揮発性メモリを内蔵していることを特徴とする着脱可能な表示装置。
【発明の詳細な説明】
【技術分野】
【０００１】
本発明は、カメラのＥＶＦ（電子式ファインダー）の色度変動補正に関するものである。
【背景技術】
【０００２】
近年では、デジタルカメラのファインダー部を光学的なものから電子的なものに置き換えられたもの製品化されている。
【０００３】
光学式ファインダーでは、目視で視認できないような環境輝度での撮影は難しく、また、ファインダーから目を放すことができない状況下では、撮影した画像の確認をすることができない。
これらの問題は、電子式ファインダーにすることで解決可能である。
【０００４】
電子式ファインダーに用いる表示部材としては、コスト面からカメラの背面液晶と同じくＬＣＤ（ＬＩＱＵＩＤ  ＣＬＹＳＴＡＬ  ＤＩＳＰＬＡＹ）が使われていることが多い。
ＬＣＤは、応答性の温度依存性が大きく、低温下では動きの速いものを表示すると、表示画面上ではっきり表示することができず、いわゆる、流れた状態で表示されてしまう。そのため、最近では、ＬＣＤに替わって有機ＥＬを使ったものも登場している。
【０００５】
有機ＥＬは、応答性の温度依存性はＬＣＤより優れており、使用環境温度で視認性に影響を及ぼすものではなく、動きの速いものも快適に表示してくれる。
しかし、輝度の経時劣化はＬＥＤよりも著しく、特に青表示部の劣化が顕著といわれている。
【０００６】
有機ＥＬやＬＥＤなどの発光素子は、駆動電流に依存して色度が変動する特性をもつ。ＬＣＤは、ＬＣＤ自身は発光せず、照明部を別途用意する必要がある。例えば白色ＬＥＤのような照明を背面に装着し表示部を照明する。表示部の明るさを変更するときには、この照明用ＬＥＤの輝度を変更する。
【０００７】
輝度変更時には、ＰＷＭ（パルス幅変調）により駆動することでＬＥＤ色度の駆動電流による色度変化は軽減され、ＬＣＤ表示部の表示は、色度の変化が充分抑制された表示となる。
【０００８】
一方、有機ＥＬは構成する各画素自身が発光するため、表示部の明るさを変更するときには、各画素の明るさを、表示する画像の階調に応じた駆動電流の増減で制御する。そのため、明るさの変更に使う色度の変化が生じてしまう。
【０００９】
また、この色度変化を、撮像部出力の画像処理部を使って行うと、撮像部出力と並行処理となるため画像処理部には大きな負担となる。これは、静止画撮影では高速連写時の応答性の低下、動画撮影ではフレームレートや解像度の低下を招く。
（特許文献１参照）
液晶装置の有機ＥＬバックライトの経時変化への対応として、フォトセンサによりバックライト白色光の輝度を測定、その検出結果を基準となる色度と比較し、比較した結果に基づいて映像信号を補正したのち表示することで、有機ＥＬでは青色の経時劣化が著しいが、バックライトの色度が劣化変化しても液晶装置に表示される色の変動を抑える方法が提案されている。
【００１０】
（特許文献２参照）
環境光によるディスプレイへの影響を改善するために、評価画像をディスプレイに表示させ、これをカメラにて撮影した映像を使って、評価画像の特徴量を抽出し、ディスプレイに対するカメラの角度に応じて抽出した特徴量に対する角度補正を行い、光が差し込んでいる状態であっても、表示されている画像を精度よく補正する方法が提案されている。
【先行技術文献】
【特許文献】
【００１１】
【特許文献１】特開２００８−１５８４５４号公報
【特許文献２】特開２０１３−１０１２１９号公報
【発明の概要】
【発明が解決しようとする課題】
【００１２】
電子式ファンダー搭載カメラを快適に使うためには、ファインダー表示部で表示する画像や撮影情報の明るさは常に一定ではなく、カメラを使用している環境の明るさに適応した状態にする必要がある。
【００１３】
また、ファインダー表示部で可能な最大の明るさは、晴天下の太陽光輝度にはとても及ぶものではないため、カメラの環境輝度範囲を複数に分けて、各輝度範囲で見易い明るさとなるファインダー表示部の明るさをを決めておき、カメラ使用時には環境輝度を測定し、該当する輝度範囲に対応したファインダー表示部の明るさとすることで、快適な操作性を確保することができる。
【００１４】
カメラを使用している環境の明るさに適応した状態に、表示部の明るさを切り替える機能は、既にカメラの背面表示部で実績があり、手動による切り替え設定、自動切り替え設定などがある。
【００１５】
有機ＥＬをファインダー表示部に使う、ファインダー表示部の明るさを切り替えたときに、その特性からくる色度変動の影響で、表示されている画像や撮影情報が変わらなくとも、色合いに変化が生じてしまう。色合いによっては、本来の色と異なる見え方になることもある。例えば、日本人のような肌の色の人を撮影などで表示しているときであれば、、その明るさ設定により、実際よりも青い場合や黄色い場合が生じてしまう。
【００１６】
本発明は上述した課題に鑑みてなされたものであり、ファインダー表示部の明るさを切り替えたことで生じる、表示されている内容の色合いの変動を抑え、環境輝度によらず、同じ色合いで表示される電子式ファインダーを提供することにある。
【課題を解決するための手段】
【００１７】
ＥＶＦ（電子式ファインダー）表示部（７）の有機ＥＬ制御部にはＷＢ（ホワイトバランス）機能が備えられており、マイコンＰＲＳ（１４０）から設定値に従ったＷＢ動作を行う。
【００１８】
マイコンＰＲＳ（１４０）は不揮発性メモリを有し、ＥＶＦ表示部の輝度に応じたＷＢ設定値を記憶している。ＥＶＦ表示部の輝度は測光センサー（８）はの出力と、予め用意された使用環境輝度とＥＶＦ輝度設定の関係図に従い、最適な輝度設定値を求め、さらにその輝度に対応したＷＢ設定値を不揮発性メモリから読みだしてＥＶＦ表示部へ送信する。
【００１９】
ＥＶＦは設定された輝度に対応したＷＢ設定値で色度補正された色合いで表示される。
【発明の効果】
【００２０】
本発明によれば、電子式ファインダーの明るさを切り替ることで生ずる表示された画像の色度変動を、予め用意しておいた電子式ファインダーの各明るさ設定に対応する補正値を使って、電子ファインダー表示制御部内のＷＢ（ホワイトバランス）制御部で補正処理する。
【００２１】
撮影者が、手動あるいは自動で電子式ファインダーの明るさ切り替えの際の表示された画像の色合いの変化に戸惑うことなく、適確なシャッターチャンスで撮影することができる。
【００２２】
また、カメラシステムの画像処理系の負担がなく、動画撮影や、高速連写時の応答性、消費電力への影響を回避した撮影が可能となる。
【図面の簡単な説明】
【００２３】
【図１】本発明の第１の実施の形態に係るカメラシステムの概略構成を示す図である。
【図２】（Ａ）図１に示すＥＶＦ表示部の表示内容を示すイメージ図である。（Ｂ）図１に示すＥＶＦ表示部の表示内容を示すイメージ図である。（Ｃ）図１に示すＥＶＦ表示部の表示内容を示すイメージ図である。（Ｄ）図１に示すＥＶＦ表示部の表示内容を示すイメージ図である。
【図３】（Ａ）本発明の有機ＥＬの色度補正前の階調―色温度変動特性を示す図である。（Ｂ）本発明の有機ＥＬの色度補正後の階調―色温度変動特性を示す図である。
【図４】（Ａ）  図１に示すＥＶＦ表示部の、輝度と撮影環境輝度との関係を示す図である。（Ｂ）  図１に示すＥＶＦ表示部の、輝度と撮影環境輝度との関係を示す図である
【図５】（Ａ）  図１に示すＥＶＦ表示部の、輝度設定５での階調―色度変動特性を示す図である。（Ｂ）  図１に示すＥＶＦ表示部の、輝度設定４での階調―色度変動特性を示す図である。（Ｃ）  図１に示すＥＶＦ表示部の、輝度設定３での階調―色度変動特性を示す図である。
【図６】（Ａ）  図１に示すＥＶＦ表示部の、輝度設定５、４、３での１２８階調の色度特性を示す図である。
【図７】図１に示したカメラシステムの色度補正値生成内容を示すフロー図である。
【図８】図１に示したカメラシステムのＥＶＦおよび背面表示の制御内容を示すフロー図である。
【図９】図８に示したフロー図のＥＶＦ表示制御内容を示すフロー図である。
【図１０】図８に示したフロー図の背面表示制御内容を示すフロー図である。
【図１１】図９に示したフロー図のＥＶＦ表示オン内容を示すフロー図である。
【図１２】図１１に示したフロー図のＷＢ（ホワイトバランス）設定１の内容を示すフロー図である。
【図１３】図１１に示したフロー図のＷＢ（ホワイトバランス）設定２の内容を示すフロー図である。
【図１４】本発明の第２の実施の形態に係るカメラシステムの概略構成を示す図である。
【発明を実施するための形態】
【００２４】
以下、本発明の実施形態に係わる、一眼レフデジタルカメラのＥＶＦ（電子式ファインダー）表示部について、図面を参照しながら詳細に説明する。
【００２５】
図１は、本発明の実施の形態に係るカメラシステムの概略構成を示すブロック図である。ＥＶＦ表示部７は有機ＥＬ表示デバイスを有し、有機ＥＬ制御により表示のための一連の処理をされたデータを表示する。カメラは表示データ一時記憶部１４２に記憶されている表示データを必要に応じて、背面表示部６と排他となるようスイッチＳＷ１，ＳＷ２の制御を行って、表示データの表示を行う構成である。
【００２６】
排他制御は接眼センサー１０の出力により基づき行われ、ＥＶＦ表示部の輝度設定は測光センサー８の出力に基づく。ＥＶＦに設定された輝度に応じて、ＷＢ（ホワイトバランス）設定値を切り替えて、有機ＥＬの特性である輝度による色度の変動を抑えているので、どの輝度に設定しても、同じ色合いで被写体は表示される。
【００２７】
［実施の第１の形態］
以下、本発明の実施の第１の形態を詳細に説明する。図１は本発明の実施の形態に係るカメラシステムの概略構成を示す図である。
【００２８】
カメラは、制御手段として機能し全体の制御を行うマイコンＰＲＳ１４０と、ＣＣＤまたはＣＭＯＳエリアセンサ等からなる撮像部１３とを具備している。また、撮像部１３から入力された画像信号を処理する画像処理部１４１、複数の画像データを保存する不揮発性メモリからなる外部記憶装置９も具備している。
【００２９】
マイコンＰＲＳ１４０は、例えば、内部にＣＰＵ（中央演算処理部）、ＲＡＭ、ＲＯＭ、不揮発性メモリ、入出力ポート等が配置されたワンチップのコンピュータ（以下、マイコンと略記する）である。
【００３０】
マイコンＰＲＳ１４０は、ＲＯＭに格納されたシーケンスプログラムに基づいて、一連の動作を行う。また、マイコンＰＲＳ１４０に内蔵されている不揮発性メモリには、一連のパラメータが格納されている。
【００３１】
例えば、露出制御や焦点調節に関する調整値等を含む一連のカメラの制御パラメータや、撮像素子の調整値、撮影画像のホワイトバランスから画像表示部６に撮影画像を表示する際の制御値のデータなどのパラメータが格納されている。このように、画像処理の制御、調整に関係する一連のパラメータが不揮発性メモリに格納されている。
【００３２】
接眼検知センサー１０は、撮影者がファインダーを使っているか否かを検知するセンサーであって、撮影者の顔のカメラファインダー部への近接状態により出力が変化する。
【００３３】
背面表示部６、ＥＶＦ（電子式ファインダー）表示部７は排他制御であり、マイコンＰＲＳ１４０は、接眼検知センサー１０の出力から使用者の顔がカメラファインダー部に近接していると判断すると、ＥＶＦ（電子式ファインダー）表示部７の表示を行い、そうではないときは背面表示部６の表示を行う。
【００３４】
表示データ一時記憶部１４２は、撮影画像表示データ部と撮影情報表示データ部、さらに切り替えスイッチＳＷ１、ＳＷ２から構成されている。制御はマイコンＰＲＳ１４０からメモリーコントローラー１４３を介して行われる。
【００３５】
スイッチＳＷ１、ＳＷ２はトランジスタなどで構成された電気的に切り替え動作をするスイッチであって、表示データの流れの選択を行う。スイッチＳＷ１はＳＷ２へ出力する表示データの選択を行い、スイッチＳＷ２は表示データ一時記憶部１４２からの表示データ出力先を選択する。
【００３６】
スイッチＳＷ１の接続は、スイッチＳＷ２の接続先が背面表示部６であるときには、撮影画像表示データ部に固定される。そして、スイッチＳＷ２の接続先がＥＶＦ（電子式ファインダー）表示部７であるときには、１画面の表示動作中に撮影画像表示データ部、撮影情報表示データ部の切り替えを行う。
【００３７】
表示先として、背面表示部６、ＥＶＦ（電子式ファインダー）表示部７の選択は、スイッチＳＷ２によりなされ、接続先は接眼検知センサー１０の出力で決まる。
【００３８】
測光センサー８はカメラに装着したレンズ５を透過した画像の明るさを検出するセンサーであって、明るさの強度に応じた電気出力をマイコンＰＲＳ１４０に出力する。
【００３９】
マイコンＰＲＳ１４０は、このセンサーの出力に基づき、撮影時のＩＳＯ感度やＴＶ値：シャッタースビード、ＡＶ値：レンズ絞りなどの情報を使って、撮像部１３からの撮像信号が最適なレベルであり、得られるカメラの撮影結果が最良となる撮影に関する一連の制御を行う。
【００４０】
外光照度センサー１１はカメラの背面に配置し、使用者の背面から、背面表示部６を照らす明るさを検出する。
【００４１】
マイコンＰＲＳ１４０は、このセンサーの出力に基づき、背面表示部６のＬＣＤのバックライトの輝度を切り替えて、使用者が背面表示部に表示される内容が見易くなる制御を行う。
【００４２】
背面表示部６は、ＬＣＤ表示部の構成であり、ＬＣＤ制御部とＬＣＤ表示部で構成され、画像処理部１４１にてＬＣＤ表示向けの画像サイズにリサイズされた画像データを、ＬＣＤ表示向けに、ＷＢ（ホワイトバランス）、輝度、γの各調整を行い、ＬＣＤデバイスに表示する。
【００４３】
例えばＳＶＧＡサイズ（縦６００ｘ横８００ｘＲＧＢ）の解像度であり、色度はＲＧＢ各画素の透過率のバランスで行われ、輝度はバックライト（白色）の輝度の高低で行われる。
【００４４】
ＷＢ（ホワイトバランス）、輝度、γの各調整値はマイコンＰＲＳ１４０により制御する。バックライトは白色ＬＥＤと導光板により構成され点灯および輝度制御はマイコンＰＲＳ１４０にて行っている。バックライトの明るさは手動または自動で可変でき、自動のときは、外光照度センサー１１で検出した明るさに応じて最適な明るさとなるよう制御される。
【００４５】
背面表示部６の表示対象となる撮影画像データは、前述した撮像部１３で撮像された画像データのほかに、外部記憶装置９に記憶した画像データや、カメラの設定情報がある。
【００４６】
ＥＶＦ（電子式ファインダー）表示部７は、有機ＥＬ制御部７２０と有機ＥＬ表示部７３０で構成され、有機ＥＬ制御部７２０は、画像処理部１４１にてファインダー表示向けの画像サイズにリサイズされた画像データを、有機ＥＬ表示向けに、ＷＢ（ホワイトバランス）、輝度、γの各調整を行う。
【００４７】
有機ＥＬ表示部７３０は、例えばＶＧＡサイズ（縦４８０ｘ横６４０ｘＲＧＢ）の解像度であり、上記の有機ＥＬ制御部７２０で処理された画像データ表示する。
【００４８】
有機ＥＬ表示部７３０の各画素は自らが発光し、色度はＲＧＢ各画素の輝度バランスで行われ、輝度はＲＧＢ各画素の輝度の高低で行われる。輝度高低は画素駆動電流に比例する。
【００４９】
ＷＢ（ホワイトバランス）はＷＢ＿Ａ、ＷＢ＿Ｂの２つのブロックからなるＷＢ制御部（７１０）にて行う。ブロックＷＢ＿Ａでは、ＥＶＦ表示部の個体バラツキが最小となる処理を行い、ブロックＷＢ＿Ｂでは、輝度切り替えにより生ずる、色合いの変動を補正する処理を行う。ＷＢ＿Ａ、ＷＢ＿Ｂのそれぞれのブロックで行うＷＢ（ホワイトバランス）設定はブロックＷＢ＿Ｂでは図２（Ａ）に示す撮影画像表示部と撮影情報表示部値とで、必要に応じて変更できるようになっている。
【００５０】
ＷＢ（ホワイトバランス）調整は、マイコンＰＲＳから通信されるＷＢ設定値に従うので、ＷＢ調整内容の変更はホワイトは、マイコンＰＲＳからのＷＢ設定値通信を表示データ一時記憶部１４２のスイッチＳＷ１の切り替え制御と同期させて行う。ブロックＷＢ＿Ａは個体バラツキ補正に使っているため、製作段階で一度最適設定を行うと、以降は常に同じ内容で機能する。
【００５１】
このカメラは、使用者の好みに応じて撮影情報表示データ部の輝度設定を、撮影画像データ部の輝度設定に対し±１ずらす設定ができるようになっており、ＷＢ調整はこれに対応できるよう撮影画像データ部、撮影情報表示データ部それぞれで独立になっている。
【００５２】
ブロックＷＢ＿Ｂで行う内容は表示データ一時記憶部１４２からの入力が撮影画像データ部からのときと撮影情報表示データ部からのときで切り替えることができる。ＷＢ（ホワイトバランス）、輝度、γの各調整値はマイコンＰＲＳにより制御する。ＥＶＦ（電子式ファインダー）表示部の表示対象は、撮像部１３により得られるレンズ９を透過した被写体画像を画像処理部１４１で処理した撮影画像と、撮影に必要なとなる一連の情報がある。
【００５３】
撮影画像は、信号処理などにより、実像に比べ、僅かに遅れ表示されるが、撮影への影響はない。また、必要に応じた操作により、外部記憶装置９に記録された画像の再生時の表示もできる。
【００５４】
撮像部１３は、ＣＣＤまたはＣＭＯＳエリアセンサ等の撮像素子と該撮像素子を駆動するセンサ駆動部とからなる。レンズ部５の光学系を通じて、撮影領域からの光束を撮像素子上に結像させており、撮像素子はこの光学像を光電変換し、電気信号として画像処理部１４１へ出力する。
【００５５】
画像処理部１４１は、撮像画像補正部、インターフェイス（ＩＦ）部、表示画生成部から構成されていて、撮像部１３からの撮像素子出力に一連の処理を行っている。撮像画像補正部は、Ａ／Ｄ変換機能を備え、撮像部１３から入力された電気信号をＡ／Ｄ変換し、暗電流補正やシェーディング補正など、撮像部１３に起因する一連の補正を行う。
【００５６】
画像処理部では、ローパスフィルタによりノイズ成分を除去し、画素及び色補間処理、ホワイトバランスやガンマ補正等、いわゆる画像そのものに関する一連の画像処理を行う。ＩＦ部では、一連の画像処理を行った撮影画像データを後述する外部記憶装置９へ送り出したり、外部記憶装置９に記録された撮影画像データを読み出したりする。
【００５７】
また、画像処理部１４１では、画像処理された撮影画像データや、外部記憶装置９に記憶された撮影画像データに対して表示のための一連の処理を行い、ＩＦ部を介して表示データ一時記憶部１４２へ出力する。なお、ＩＦ部から表示データ一時記憶部１４２へ撮影画像データを出力するまでの一連の処理は、表示画生成部内のリサイズ部、ＶＲＡＭ部を経由して行われる。
【００５８】
外部記憶装置９は、例えば、ＣＦカードのような複数の画像データを保存することができる不揮発性の記憶部材であって、画像処理装置１００から着脱可能なものである。そして、カメラに装着した状態で画像処理部１４１から出力される撮影画像データを記憶する。
【００５９】
これにより、１つまたは複数の撮影画像データを記憶した後に、カメラから取り外して、本システムのデータ形式で読み出し可能な別のシステムに装着すれば、記憶されている撮影画像データの再生、編集、及び保存が可能となる。また、カメラに外部記憶装置９を再度装着することによって、本システムのデータ形式で読み出し可能な画像データであれば、読み出し後、画像処理部１４１において最適な信号処理を行うことができる。そして、背面表示部６あるいはＥＶＦ（電子式ファインダー）表示部７に画像を表示することができる。
【００６０】
焦点検出部４は、結像面近傍に配置されたフィールドレンズ、反射ミラー、２次結像レンズ、絞り、及び複数の光電変換素子らかなるＣＣＤ等のラインセンサから構成されている。本実施形態における焦点検出部４は、周知の位相差方式であるとともに、観察画面内（ファインダ視野内）の複数の領域を測距点として、該測距点で焦点を検出することが可能となるように構成されている。
【００６１】
レンズ部５には、焦点調節回路及び絞り駆動回路が組み込まれており、不図示のマウント接点を介してマイコンＰＲＳ１４０と信号の伝達がなされる。マイコンＰＲＳ１４０は、焦点検出部４から出力される信号に基づき、レンズ部５に内蔵されている焦点調節回路を動作して、最適な焦点調節となる信号を出力する。さらに、不図示の測光回路から出力される信号に基づいて、レンズ部５に内蔵されている絞り駆動回路を動作して、最適な露光量となる信号を出力する。
【００６２】
図２（Ａ）、（Ｂ）、（Ｃ）は、図１のＥＶＦ（電子式ファインダー）表示部の表示内容について示すイメージ図である。図２（Ａ）はＥＶＦ（電子式ファインダー）表示部の表示領域ごとの内容を示しており、上部は撮影画像表示部であって、例えば、図２（Ｂ）に示すような撮影により得られた画像を表示する。下部は撮影情報表示部であって、ＡＦ（オートフォーカス）モードやＴＶ値（シャッタースピード）、ＡＶ値（絞り値）、露出補正、ＩＳＯ感度などの撮影の際に必要となる情報の表示を行う領域である。
【００６３】
図２（Ｂ）の撮影領域を静止画で撮影するときのＥＶＦ（電子式ファインダー）表示部の内容が、図２（Ｃ）となる。図２（Ｃ）では、撮影情報として、シャッタースピード１／１２５．絞り値５．６  露出補正＋２／３  ＩＳＯ感度４００が表示され、撮影画像と同時に確認できるようになっている。であることを示し撮影画像に重畳する黒枠はＡＦ機能を使って焦点調節できる位置とその焦点状態を示していて、ここでは、右端の位置に焦点が調節されている状態である。
【００６４】
図２（Ｄ）は図２（Ｂ）の撮影領域を動画で撮影するときのＥＶＦ（電子式ファインダー）表示部である。このとき、ＴＶ，ＡＶ、ＩＳＯが関係しない撮影なので撮影情報表示部には表示されない。ＡＦの方法も動画に対応したものとなるため、図２（Ｂ）の表示から変わり、重畳する４つの「で囲まれた領域でフォーカス意味の表示に替わっている。
【００６５】
図３（Ａ）、（Ｂ）を使って、図１の７３０に示す、有機ＥＬ表示部の特性のイメージ図である。
これを使って、本実施例で有機ＥＬ表示部の補正前後の特性の違いについて説明する。
【００６６】
図３（Ａ）は、この後図４にて説明する５つの輝度設定の各設定時の階調と色温度の関係を示すグラフである。輝度設定５→輝度設定１により明→暗と輝度変化する。いずれの輝度設定においても階調変化に伴う色温度の変化特性を持ち、低階調では相対的に低めの色温度であり、高階調で高めの色温度になっている。
【００６７】
さらに、輝度により色度変動を伴う特性があるために、輝度設定５（明るい）から輝度設定１（暗い）方向に輝度を切り替えると、色温度も「高い→低い」  方向に変化する。
したがって、このままでは、輝度設定を変えた際に、表示されている画像の色合いが変化することになる。
【００６８】
図３（Ｂ）は、図３（Ａ）の特性を本実施例で補正後の階調―色度変動特性である。図３（Ａ）と比べたとき、輝度設定１から５の各輝度設定において、階調―輝度変動特性はほぼ一致するように改善され、輝度設定を切り替えても色温度の変化すなわち、色合いの変化がないことが判る。
【００６９】
図４（Ａ）、（Ｂ）を使って、カメラ使用時の周囲の明るさとＥＶＦの明るさ設定の関係について説明する。図４（Ａ）、（Ｂ）は、ＥＶＦの明るさ設定が図３の輝度設定１から５になるときの、カメラ使用時の周囲の明るさとの関係について示す両対数グラフである。
【００７０】
横軸はカメラを使用時の周囲の明るさである撮影環境輝度であって、図１の測光センサー８により検知する。縦軸は、ＥＶＦの明るさ設定が５段階に分けて設定されていて、撮影環境輝度に応じて変化することを示している。
【００７１】
図４（Ａ）は、ＥＶＦの最大の明るさは、撮影環境輝度の明るさに比べてとても低いため、撮影環境輝度がＥｖｈより高くなっても輝度設定５より高めることができない。また、撮影環境輝度が非常に暗く被写体の視認が難しいときには、撮影環境輝度の明るさを実際の明るさよりも高めることで視認性が確保できるように、Ｅｖｌより低い輝度であっても、輝度設定１より低い輝度設定はしていない。
【００７２】
図４（Ｂ）は、図４の撮影画像データ表示部と撮影情報データ表示部の輝度設定の関係を示すグラフである。図４中の丸２は図４（Ａ）で同じであり、撮影画像データ表示部について示している。
図４中の丸１、丸２、丸３は撮影情報データ表示部について示している。撮影情報データ表示部の輝度設定は撮影画像データ表示部に対して輝度設定を±１の増減をする調整が可能になっていて、使用者のニーズや好みに応じて選択および設定ができる。図４中、丸１は輝度設定調整を＋１にしたときであり、図４中、丸３は輝度設定調整を−１にしたときである。図４中、丸２は輝度設定調整をせず、撮影画像データ表示部と同じ明るさで表示する。
【００７３】
輝度設定調整をしたとき、＋１であれば、撮影情報データ表示部の表示を撮影画像データ表示部の輝度設定＋１とし、それに対応するＷＢ＿Ｂの設定を撮影情報データ表示部の表示に同期させて行う。
【００７４】
−１であれば同様にして輝度設定が撮影画像データ表示部の輝度設定−１となる動作をする。
輝度設定調整は撮影画像データ表示部、撮影情報データ表示部とも同じであるため、撮影環境輝度がＥｖｌより暗いときや、Ｅｖｈより明るい時は輝度設定の差はなくなる。
【００７５】
また、図５（Ａ）、（Ｂ）、（Ｃ）を使って有機ＥＬの階調―色度変動について説明する。図５（Ａ）は輝度設定５での階調―色度変動であり、図５（Ｂ）は輝度設定４での階調―色度変動であり、図５（Ｃ）は輝度設定３での階調―色度変動のイメージを示すグラフである。
【００７６】
各グラフは階調は全域を８ｂｉｔで表現しており、さらにその中間である１２８階調を■で明示している。いずれの輝度設定においても、階調により角度が変動する傾向は変わらないが、輝度設定を５，４，３と明→暗に切り替えときのグラフ上の最小値：２５６諧調（８ｂｉｔ）は次表の「輝度設定と２５６諧調（８ｂｉｔ）モノトーン画像を表示したときのxy色度」で判るように上昇している。すなわち、色度変動範囲が設定輝度に応じて僅かに変化している。。
【００７７】
【表１】
2018189808.tif 000003
【００７８】
輝度設定と２５６諧調（８ｂｉｔ）モノトーン画像を表示したときのxy色度
このことは、同じ表示内容であっても輝度を切り替えると、色合いが変化することを意味する。
【００７９】
次に、色合いの補正方法として、１２８階調（８ｂｉｔ）を基準に、上述の輝度設定による色合い変化の補正内容について図６，７を使って説明する。
【００８０】
図６は、１２８階調の輝度による色合いの変化を判り易くするために、図５（Ａ）、（Ｂ）、（Ｃ）に示すグラフの１２８階調の色度をプロットしたものである。
【００８１】
例えば、輝度設定５の色合いを基準としたときは、輝度設定５と各輝度設定による色あいの変化を補正する。図６の輝度設定５の色度と各輝度設定での色度の差が最小となるように各輝度設定毎のＷＢ設定値でＷＢ調整すればよい。
【００８２】
この各輝度設定毎のＷＢ設定値は、例えばカメラ組み立て製作段階で、色合いの個体差調整などの調整のときに、併せて行っておき、カメラの不揮発性メモリに記憶し、以後必要に応じて使用する。
【００８３】
上述した内容をフロー図に示すと図７になる。まず、色度調整の基準とする階調を決める。ここでは、図６にあるように１２８階調で行う（＃２０００）。次に輝度設定値Ｍを決める。ここでは図４にあるように輝度設定は１〜５であるからＭmax＝５となる（＃２０１０）。ＭｍａｘをＭに代入する（＃２０２０）。
【００８４】
輝度設定数が決まったら、ここでは最大輝度となる輝度設定５を調整基準とした補正値を求める処理をするので、まずは輝度設定５なる輝度設定となるようマイコンＰＲＳ１４０からＥＶＦ表示部に通信を行う（＃２０３０）とともに、測定画像を表示する（＃２０４０）。測定画像はモノトーンの均一画像であって、外部記憶装置９に予め用意された画像を画像処理部１４１を経由して行う。
【００８５】
表示された画像の色度、輝度を例えば色度測定機などの色度、輝度が測定できる測定機を使って測定し色度（Ｍ）を求め（＃２０５０）、その結果からＲＧＢ強度比を算出し規格化する。
【００８６】
Ｍ≧Ｍｍａｘであれば、Ｍ=Ｍｍａｘなる設定値のときに一番明るい設定であり、ここでは、Ｍ=Ｍｍａｘなる設定値の色度（Ｍｍａｘ）を調整基準としているので、このときのＲＧＢ強度比を、Ｒ（Ｍｍａｘ）、Ｇ（Ｍｍａｘ）、Ｂ（Ｍｍａｘ）とする（＃２０８０）。
【００８７】
次の色度での補正値を求めるための準備としてＭ＝Ｍ−１なる処理を行い（＃２１１０）、Ｍが１より大きければ、＃２０３０に戻り、＃２０６０までの処理の後、規格化されたＲＧＢ強度比とＭ＝Ｍｍａｘで測定しているＲＧＢ強度比をＲＧＢ各色毎に求める（＃２０９０）。
【００８８】
Ｍ＝Ｍｍａｘの際のＷＢ＿Ｂ設定値であるＷＢｔｕｎｅ（Ｍｍａｘ）に＃２０９０で求めた各色ごとの相対比を係数として処理すると、輝度ＭでのＷＢ＿Ｂ設定値ＷＢｔｕｎｅ（Ｍ）が得られる（＃２１００）。Ｍ回繰り返しＷＢｔｕｎｅ（Ｍ）（Ｍ＝１〜Ｍｍａｘ）が得られたところで、ＷＢ調整値として不揮発性メモリに記憶し（＃２１３０）終了する。不揮発性メモリは図１のマイコンＰＲＳ１４０に内蔵されている。
【００８９】
図１に示すブロック図の動作を図８、図９、図１０、図１１、図１２、図１３のフロー図を使って説明する。図８は、カメラが接眼検知結果に基づいて、ＥＶＦ表示と背面表示の排他制御動作を示すフロー図である。図９は、図８のＥＶＦ表示制御内容を示すフロー図である。図１０は、図８の背面表示制御内容を示すフロー図である。図１１は、図９のフロー図の「ＥＶＦ表示オン」の内容を示すフロー図である。図１２は、図１１のフロー図の「ＷＢ設定１」の内容を示すフロー図である。図１３は、図１１のフロー図の「ＷＢ設定２」の内容を示すフロー図である。
【００９０】
図８から順に説明をする。図８では、ＥＶＦ表示と背面表示の排他制御動作を示す。カメラの電源ＳＷ（不図示）がオンし、カメラ各構成部へ通電されると、マイコンＰＲＳ１４０は、撮影可能となるよう一連設定動作を行う（＃１００）。
【００９１】
そして、接眼検知センサー１０の出力を取り込み、使用者がカメラファインダー部に接眼しているか否かを判断する（＃２００）。カメラファインダー部に接眼しているならば、ＥＶＦ表示をするための制御を行い（＃３００）、そうでなければ背面表示を行うための制御を行う（＃７００）。
【００９２】
いずれの表示制御も、電源ＳＷがオフでなければ（＃５００）、（＃８００）、「接眼検知を行い（＃２００）、その結果から表示部の制御をする。（＃３００）、（＃７００）」を繰り返す。ＥＶＦ表示状態で電源ＳＷオフされたときは（＃５００）、（＃８００）、ＥＶＦ表示をオフして（＃６００）終了する。背面表示状態で電源ＳＷオフされたときは、背面表示をオフして（＃９００）終了する。
【００９３】
次に図９を使って、背面表示部６の表示制御の内容を説明する。ＥＶＦ表示と背面表示は排他なので、ＥＶＦ表示を行うときには、まず背面表示部７をオフする（＃７２０）。背面表示部７が既にオフになっているときに、さらに背面表示部７をオフする動作をしても、カメラシステムで不適合は起きないようになっている。
【００９４】
測光センサー８を使って、これからＥＶＦ表示部に表示する、「レンズ５を透過し撮像部１３の撮像素子に入射する領域の明るさ」を確認し（＃３２０）、図４（Ａ）に示した、撮影環境輝度とファインダー表示輝度１〜５の関係から該当する設定輝度を求めて表示輝度を確定する（＃３３０）。
【００９５】
予め、カメラの調整段階で不揮発性メモリに記録しておいた、ＥＶＦ表示部の表示デバイスである有機ＥＬのＷＢ（ホワイトバランス）個体ばらつきの補正値をＥＶＦ表示部７のＷＢ制御部（７１０）のＷＢ＿Ａに設定し、いずれのカメラであっても、同じ表示内容のときには同じ色合いとなる補正を行う（＃３４０）。ここまでの準備が完了したところでＥＶＦ表示をオンする（＃４００）。ＥＶＦ表示オンの内容は図１１を使って説明する。
【００９６】
次に図１０を使って、背面表示制御の内容を説明する。ＥＶＦ表示と背面表示は排他なので、背面表示を行うときには、まずＥＶＦ表示部７をオフする（＃３１０）。ＥＶＦ表示部７が既にオフになっているときに、さらにＥＶＦ表示部７をオフする動作をしても、カメラシステムで不適合は起きないようになっている。
【００９７】
次に、カメラ内蔵温度計（不図示）で使用環境温度を測定する（＃７３０）。背面表示はＬＣＤであるため、特に低温時の応答性に配慮する必要から、使用環境に応じて制御内容を切り替えている。外光照度センサー１１の出力を取り込み、背面表示を照らす使用環境の明るさを検知し（＃７３０）、その明るさで見やすい明るさとなるように背面液晶の輝度を設定する（＃７４０）。背面液晶の輝度設定はバックライトの明るさ制御によりなされる。
【００９８】
背面表示部の表示デバイスであるＬＣＤのＷＢ（ホワイトバランス）個体ばらつきの補正値を背面表示部６のＷＢに設定し、いずれのカメラであっても、同じ表示内容のときには同じ色合いとなる補正を行う（＃７５０）。ここまでの準備が完了したところで背面表示をオンする（＃７６０）。
【００９９】
図１１を使って、図９のＥＶＦ表示オン（＃４００）の内容を説明する。図１１のフロー図は図２に示すＥＶＦ表示部が例えば、ＶＧＡサイズ（横６４０ｘ縦４８０ｘＲＧＢ）であり、６０ｆｐｓで駆動、接眼検知、電源ＳＷ状態確認は０．５ｓｅｃごとに行うことを想定した内容になっている。
【０１００】
フレームカウンタＮは、ＥＶＦに表示されている画面の更新回数であって、０〜３０の範囲のいずれかの値となる。
【０１０１】
ラインカウンタＭは、ＥＶＦの画面表示中のラインＮｏであって、ＶＧＡサイズなので１〜４８０の範囲のいずれかの値となる。
【０１０２】
まず、フレームカウンタＮを初期化しＮ＝３０とする（＃４１０）。６０ｆｐｓなのでその１／２となることを意味する。
【０１０３】
次に、ラインカウンタＭを初期化しＭ＝４８０とする。（＃４２０）使用するＥＶＦデバイスには非表示表域がないことを前提とする。
【０１０４】
ラインカウンタの値を撮影情報表示領域の設定と照合し、撮影情報表示部であるか否かを判別する（＃４４０）。
【０１０５】
撮影情報表示部と撮影画像表示部の関係は、図２（Ａ）のようになっており、ここでは、この縦方向がラインカウンタＭの初期値Ｍ＝４８０となる。
【０１０６】
図２（Ａ）において、ラインカウンタＭが、Ｍ＝４８０のときは上端部の表示ラインを示し、Ｍ＝１のときは下端部の表示ラインを示すので、ＥＶＦの表示は上端部から下端部に向けて順に表示される。
【０１０７】
Ｍ＝４８０から開始し、撮像画像表部から表示されので、図２において、表示データ一時記憶部１４２のスイッチＳＷ１は、撮影画像データ部に接続し、撮影画像データ部の内容はスイッチＳＷ２からＥＶＦ表示部７に出力されるようになっている（＃４４３）。
【０１０８】
ＥＶＦ表示部７のＷＢ制御部ＷＢ＿ＢにはＷＢ設定１が設定される（＃４４４）。ＷＢ設定１の内容は撮影画像表示部に撮影画像を表示する際のＷＢ設定である。ＷＢ設定１の詳細は図１２を使って説明する。
【０１０９】
そしてＷＢ＿ＢにＷＢ設定１の内容が設定されて、その時のＥＶＦ表示輝度に対応したＷＢ設定で表示される内容の色度が補正される（＃４４５）。
【０１１０】
次のラインカウンタＭをＭ−１して次のラインの表示をするための準備をする（＃４５０）。ラインカウンタＭがＭ≦０でなければ、まだ画面表示途中であり＃４４０に戻って次のラインの処理を始める（＃４６０）。これを繰り返し、撮影情報表示部となる値にラインカウンタＭがなると、図２において、表示データ一時記憶部１４２のスイッチＳＷ１は、撮影画像データ部から撮影情報データ部に切り替わり、撮影情報データ部の内容がスイッチＳＷ２からＥＶＦ表示部７に出力されるようになる（＃４４１）。
ＥＶＦ表示部７のＷＢ制御部ＷＢ＿ＢにはＷＢ設定２が設定される（＃４４２）。ＷＢ設定２の内容はは撮影情報表示部に撮影情報を表示する際のＷＢ設定である。ＷＢ設定２の詳細は図１３を使って説明する。
【０１１１】
そして、ＷＢ＿ＢにＷＢ設定２の内容が設定されて、その時のＥＶＦ表示輝度に対応したＷＢ設定で表示される内容の色度が補正される（＃４４５）。
【０１１２】
＃４４０から＃４６０までの内容が繰り返されて、ラインカウンタＭがＭ≦０になると１フレームの表示処理は完了するので、フレームカウンタＮをＮー１して次のフレームを表示する準備を行う。これをフレームカウンタ初期設定のＮ＝３０回繰り返したところで（＃４９０）「ＥＶＦ表示オン」は終了する。
【０１１３】
６０ｆｐｓに対して１回の連続動作が３０ｆｐｓとなるので、図１０の接眼検知（＃２００）や電源ＳＷオフの確認（＃６００）は０．５ｓｅｃごとになされる。０．５ｓｅｃごとであれば、人の感覚とのずれは小さく、違和感のない操作を提供できる。
【０１１４】
次に図１２を使って図１１のＷＢ設定１（＃４４４）について説明する。図１１では、既に確定しているＥＶＦ表示部７の表示輝度に対応するＷＢ設定値を、予め用意しておいたいくつかのＷＢ設定値から取り出す動作を示している。フロー図中のパラメータの定義は次のとおりである。
【０１１５】
ＢＲＴＣ（ｎ）（ｎ＝１〜５）：設定輝度に対応する色度補正のためのＷＢ設定値
ＢＲＴＣ_ｐａｒａ：現在の設定輝度の色度補正として使用するＷＢ設定値
輝度設定Ｎｏ：ＥＶＦ表示輝度設定値のこと。１〜５まで規定。（１は暗く、５は明るい）
ここでのＷＢ設定値は、輝度設定の違いによるＥＶＦ表示の色度変化を補正するためのものである。まず、引数を初期化しｎ＝１とする（＃１０１０）。次に、輝度設定Ｎｏとの照合を行う（＃１０２０）。一致しないときは、引数ｎ＝ｎ＋１として（＃１０３０）、再度照合を行い、輝度設定Ｎｏと一致したら、その引数の  ＢＲＴＣ（ｎ）：色度補正のためのＷＢ設定値を、ＢＲＴＣ_ｐａｒａ：色度補正として使用するＷＢ設定値として終了する（＃１０４０）。
【０１１６】
次に図１３を使って図１１のＷＢ設定２（＃４４２）について説明する。ＷＢ設定２は、撮影情報表示部の明るさに応じた色度補正である。
【０１１７】
図４（Ｂ）で示すように、撮影情報表示部の明るさ設定は、撮影情報表示部の明るさから±１微調整できるようになっているので、撮影情報表示部の色度補正も微調整に連動させなくてはならない。そこで、ＷＢ設定２では、撮影情報表示部の微調整された輝度設定を確認して、対応する色度補正値となるＷＢ設定値を設定している。フロー図中には図１２で使用したパラメータに加えて下記を使っている。
【０１１８】
Ｉｃｏｍｐ：撮影情報表示部の明るさを、撮影画像表示部の明るさからのシフト調整用。
【０１１９】
−１、０、＋１の設定値を持つ。
【０１２０】
図１２で使用している、ＢＲＴＣ（ｎ）（ｎ＝１〜５）のｎと組わせた引数となる。
【０１２１】
まず、撮影情報表示部の明るさ設定が撮影画像表示部の明るさ設定に対して−１であれば（＃１１１０、現在の撮影画像表示部の明るさ設定がｍｉｎである輝度設定１であるかを確認し（＃１１４０）、否であれば、変数Ｉｃｏｍｐには−１を設定する（＃１１５０）。明るさ設定がｍｉｎである輝度設定１に設定されているときは、これ以上輝度設定は下げられないので、変数Ｉｃｏｍｐには０を設定する（＃１１３０）。
【０１２２】
明るさ設定が＋１であれば（＃１１２０）、現在の撮影画像表示部の明るさ設定がｍａｘである輝度設定５であるかを確認し（＃１１６０）、否であれば、変数Ｉｃｏｍｐには＋１を設定する（＃１１７０）。明るさ設定がｍａｘである輝度設定５に設定されているときは、これ以上輝度設定は上げられないので、変数Ｉｃｏｍｐには０を設定する（＃１１３０）。明るさ設定が−１でもなく＋１でもないときは、微調整していないので変数Ｉｃｏｍｐには０を設定する（＃１１３０）。
【０１２３】
確定したＩｃｏｍｐを引数ｎに合算して、ＢＲＴＣ（ｎ＋Ｉｃｏｍｐ）なる新たな色度補正のためのＷＢ設定値を取り出し、ＢＲＴＣ_ｐａｒａ：現在の設定輝度の色度補正として使用するＷＢ設定値  として、画像情報表示部の色度補正を行う。
【０１２４】
このように、
・表示する輝度により生ずる色度ずれの補正をＥＶＦファインダー表示部のＷＢ制御により行う
・色度ずれを補正するＷＢ設定値を、各表示輝度設定値ごとに持つ
・表示領域ごとに独立なＷＢ設定で、撮影画像表示部と撮影情報表示部の輝度設定の違いに対応できる。
・表示データの走査位置に連動してＷＢ設定値を切り替える
ことにより、
複数あるＥＶＦの表示輝度のうち、どの表示輝度に切り替えても、カメラシステムの画像処理部の負担を通常の撮影画像の表示にかかる処理内容から増やすこと、色合いの変化が補正されていて、使用者は被写体の色を正確に判断して撮影することができる。
【０１２５】
［実施の第２の形態］
以下、本発明の実施の第２の形態を詳細に説明する。図１４  は本発明の実施の形態に係るカメラシステムの概略構成を示す図である。
【０１２６】
本発明の実施の第１の形態とは異なり、ＥＶＦ（電子式ファインダー）表示部が着脱式になっている。
【０１２７】
本発明の実施の第２の形態ではカメラは光学式のファインダー（不図示）を備えており、使用者のニーズに応じて、着脱式ＥＶＦ（電子式ファインダー）７００を装着し使用することができる。
【０１２８】
着脱式ＥＶＦ（電子式ファインダー）７００には、カメラ装着時に表示データ一時記憶部１４２およびマイコンＰＲＳ１４０との通信できるような通信端子を備えている。カメラは、表示データ一時記憶部１４２からの表示データをマイコンＰＲＳ１４０の制御のもとに着脱式ＥＶＦ（電子式ファインダー）７００に表示することができる。
【０１２９】
着脱式ＥＶＦ（電子式ファインダー）７００の表示部の輝度を切り替えたときには、実施例１と同様の色度補正をＷＢ制御部（７１０）にて行うようＷＢ設定をする。着脱式ＥＶＦ（電子式ファインダー）７００の有機ＥＬ制御部（７１５）には不揮発性メモリが（７０５）使われていて、上記色度補正を行うためのＷＢ設定値が書き込まれている。
【０１３０】
図２（Ａ）にあるような撮影画像表示部、撮影情報表示部で色度補正を独立に行うときには、ＷＢ設定値はマイコンＰＲＳ１４０からの通信ではなく、どの設定値を使うのか示すデータだけである。
【０１３１】
ＷＢ設定値を使って、ＷＢ制御部ＷＢ＿Ａ、ＷＢ＿Ｂで行うＷＢ動作で色度補正する内容は実施例１と変わらない。
【０１３２】
このように、
・ＥＶＦ表示部に不揮発性メモリをもつ
・ＷＢ設定値をＥＶＦ表示部内の不揮発性メモリに記憶し、必要時にＷＢ動作に使用する。
・装着しているカメラからは、使用するＷＢ設定値の選択信号のみ送信する。
ことにより、
着脱式のＥＶＦでありながら、ＥＶＦの輝度設定による色度ずれの補正を、実施例１で示したようなカメラ組み込み型のＥＶＦと同じように実現でき、さらには、着脱可能なＥＶＦ装置が複数型式あるときでも、必要に応じた使い分けによる色合いの違いはなく、適正は表示による快適な使用感を得ることができる。
【産業上の利用可能性】
【０１３３】
本発明は、デジタルカメラに限らず、表示機能を備えた種々の電子機器の表示制御に適用可能である。
【０１３４】
なお、本発明は、上記実施形態の構成に限られるものではなく、特許請求の範囲で示した機能、または本実施形態の構成が持つ機能が達成できる構成であればどのようなものであっても適用可能である。
【符号の説明】
【０１３５】
４  焦点検出部
５  撮影レンズユニット
６  背面表示部
７  ＥＶＦ（電子式ファインダー）表示部
８  測光センサ−
９  外部記憶装置
１０  接眼検知センサ−
１１  外光照度センサー
１３  撮像部
１４０  マイコンＰＲＳ 
１４１  画像処理部
１４２  表示デ−タ一時記憶部
１４３  メモリコントロ−ラ−
７００  着脱式ＥＶＦ（電子式ファインダー）表示部
７２０  有機ＥＬ制御部
７１５  有機ＥＬ制御部（不揮発性メモリ内蔵）
７３０  有機ＥＬ表示
【図１】
2018189808.tif 000004
【図２】
2018189808.tif 000005
【図３】
2018189808.tif 000006
【図４】
2018189808.tif 000007
【図５】
2018189808.tif 000008
【図６】
2018189808.tif 000009
【図７】
2018189808.tif 000010
【図８】
2018189808.tif 000011
【図９】
2018189808.tif 000012
【図１０】
2018189808.tif 000013
【図１１】
2018189808.tif 000014
【図１２】
2018189808.tif 000015
【図１３】
2018189808.tif 000016
【図１４】
2018189808.tif 000017